(57)【要約】【課題】  奥屋根をその左右の端部において固定でき、それにより、奥屋根および鍵盤蓋の浮上がりを確実に防止できるとともに、安価に構成することができるピアノの奥屋根固定装置を提供する。【解決手段】  前端部に鍵盤蓋１が回動自在に連結され、左右の腕木４、４の間に配置された奥屋根３を固定するためのピアノの奥屋根固定装置２１であって、左右の腕木４、４と奥屋根３との間にそれぞれ設けられ、奥屋根３を左右の腕木４、４に固定する固定金具２２を備えている。【選択図】  図２
2008241840.tif 000002
【特許請求の範囲】
【請求項１】
前端部に鍵盤蓋が回動自在に連結され、左右の腕木の間に配置された奥屋根を固定するためのピアノの奥屋根固定装置であって、
前記左右の腕木と前記奥屋根との間にそれぞれ設けられ、当該奥屋根を前記左右の腕木に固定する固定金具を備えていることを特徴とするピアノの奥屋根固定装置。
【請求項２】
前記奥屋根の上下方向の位置および前後方向の位置の少なくとも一方を調整するための調整手段をさらに備えていることを特徴とする、請求項１に記載のピアノの奥屋根固定装置。
【請求項３】
前記奥屋根に、前記鍵盤蓋の開閉を制御するための開閉制御装置が設けられ、当該開閉制御装置は、一端部が前記鍵盤蓋に連結されたリンク機構と、このリンク機構の他端部が連結され、前記鍵盤蓋が閉鎖方向に回動するときに前記リンク機構を介して前記鍵盤蓋を制動する緩衝器と、を備えていることを特徴とする、請求項１または２に記載のピアノの奥屋根固定装置。
【発明の詳細な説明】
【技術分野】
【０００１】
本発明は、アップライトピアノやアップライト型電子ピアノなどにおいて奥屋根を固定するためのピアノの奥屋根固定装置に関する。
【背景技術】
【０００２】
従来のアップライトピアノの奥屋根固定装置として、例えば特許文献１に開示されたものが知られている。図８に示すように、このアップライトピアノの奥屋根６３は、断面が長方形状の平板タイプのものであり、左右の腕木６４の間に長く延びている。奥屋根６３の前端部には、鍵盤蓋６１が回動自在に連結され、左右の端部には、下方に突出する奥屋根付木６５が一体に設けられている。また、左右の腕木６４には内方に突出する複数の奥屋根受け６６が設けられており、奥屋根６３は、その奥屋根付木６５を複数の奥屋根受け６６の間に上方から差し込むことによって、腕木６４に取り付けられている。
【０００３】
また、このアップライトピアノには、鍵盤蓋６１をゆっくり閉じるように制御する開閉制御装置５１が設けられている。この開閉制御装置５１は、奥屋根６３に固定された緩衝器５２と、緩衝器５２と鍵盤蓋６１の間に連結されたリンク機構５３を備えている。緩衝器５２は、例えばワンウェイトルク式の油圧ダンパから成り、内蔵されたオイルの緩衝作用によって、鍵盤蓋６１の閉鎖方向への回動時にのみ、リンク機構５３を介して鍵盤蓋６１に制動を加えるように構成されている。これにより、鍵盤蓋６１が確実にゆっくり閉じられ、口棒１１に鍵盤蓋６１が衝突することによる鍵盤蓋６１や口棒１１の損傷などの不具合が解消される。
【０００４】
以上の構成では、奥屋根６３が上方からの差込みで取り付けられているため、鍵盤蓋６１が急激に閉鎖されたときなどに、緩衝器５２から鍵盤蓋６１に作用する反力によって、鍵盤蓋６１に連結された奥屋根６３が浮き上がるおそれがある。鍵盤蓋固定装置７１は、そのような奥屋根６３の浮き上がりを防止するために設けられている。図８に示すように、鍵盤蓋固定装置７１は、棚板９の低音側の端部に配置され、その上面にねじ止めされた支持ブロック７２と、支持ブロック７２の内側面に、水平軸線回りに回動自在に取り付けられ、上方に延びるねじ付きのロッド７３と、ロッド７３のねじに螺合する蝶ねじ７４と、奥屋根６３の背面にねじ止めされたフック状でかつ二股状の金具７５を備えている。
【０００５】
この構成によれば、支持ブロック７２の回りにロッド７３を回動させ、蝶ねじ７４を金具７５に係合させた後、手で締め付けることによって、奥屋根６３が棚板９に対して固定され、それにより、奥屋根６３の浮き上がりが防止される。
【０００６】
上述したように、この奥屋根固定装置７１は、ピアノの最低音部に１個だけ設けられている。これは、アップライトピアノの構成上、最高音部においては、棚板９の上側に、奥屋根固定装置７１を設置するのに必要なスペースを確保できないためである。その結果、この奥屋根固定装置７１では、左右方向に長い奥屋根６３を最低音部側でのみ固定した片持ち状態になり、最高音部側での奥屋根６３の浮き上がりを防止できない。このため、奥屋根６３の浮き上がりにより鍵盤蓋６１が腕木６４に接触することなどによって、それらが損傷したり、雑音が発生したりするなどの不具合が生じやすい。
【０００７】
また、この奥屋根固定装置７１は、支持ブロック７２、ロッド７３、蝶ねじ７４および金具７５などで構成されていて、その部品点数が多いため、製造コストが高いという欠点もある。
【０００８】
本発明は、このような課題を解決するためになされたものであり、奥屋根をその左右の端部において固定でき、それにより、奥屋根および鍵盤蓋の浮上がりを確実に防止できるとともに、安価に構成することができるピアノの奥屋根固定装置を提供することを目的としている。
【０００９】
【特許文献１】特開平１０−１０５１５７号公報
【発明の開示】
【課題を解決するための手段】
【００１０】
この目的を達成するため、本願の請求項１に係る発明は、前端部に鍵盤蓋が回動自在に連結され、左右の腕木の間に配置された奥屋根を固定するためのピアノの奥屋根固定装置であって、左右の腕木と奥屋根との間にそれぞれ設けられ、奥屋根を左右の腕木に固定する固定金具を備えていることを特徴としている。
【００１１】
この奥屋根固定装置では、左右の腕木と奥屋根との間に固定金具がそれぞれ設けられており、これらの固定金具によって、奥屋根は、その左右の端部において左右の腕木にそれぞれ固定されている。したがって、鍵盤蓋の閉鎖時などにおいて、奥屋根およびこれに連結された鍵盤蓋が浮き上がるのを確実に防止することができる。その結果、鍵盤蓋が浮き上りによって腕木と接触することや、それに起因する鍵盤蓋および腕木の損傷、雑音の発生などの不具合を確実に防止できる。また、奥屋根の固定を固定金具だけで行えるので、多数の部品から成る従来の固定装置と比較して、非常に安価に構成することができる。
【００１２】
請求項２に係る発明は、請求項１に記載の奥屋根固定装置において、奥屋根の上下方向の位置および前後方向の位置の少なくとも一方を調整するための調整手段をさらに備えていることを特徴とする。
【００１３】
この構成によれば、奥屋根の上下方向の位置および／または前後方向の位置を調整手段によって調整できるので、例えば、従来のような奥屋根止木を併用せずに、固定金具だけで奥屋根を固定した場合でも、奥屋根および鍵盤蓋を上下方向および／または前後方向の所望の位置に設置することができる。
【００１４】
請求項３に係る発明は、請求項１または２に記載の奥屋根固定装置において、奥屋根に、鍵盤蓋の開閉を制御するための開閉制御装置が設けられ、開閉制御装置は、一端部が鍵盤蓋に連結されたリンク機構と、このリンク機構の他端部が連結され、鍵盤蓋が閉鎖方向に回動するときにリンク機構を介して鍵盤蓋を制動する緩衝器と、を備えていることを特徴とする。
【００１５】
この構成では、特に鍵盤蓋の開閉制御装置が設けられている場合において、鍵盤蓋を急激に閉鎖したために、開閉制御装置の緩衝器の反力が奥屋根にこれを持ち上げる力として作用したときでも、奥屋根がその左右の端部において腕木に固定されていることによって、奥屋根および鍵盤蓋の浮上がりを確実に防止することができる。
【発明を実施するための最良の形態】
【００１６】
以下、本発明の好ましい実施形態を、図面を参照しながら、詳細に説明する。図１は、本発明の第１実施形態による奥屋根固定装置を適用したアップライトピアノを部分的に示している。同図に示すように、このアップライトピアノ（以下「ピアノ」という）Ｐは、鍵盤蓋１、奥屋根３、奥屋根３を固定するための奥屋根固定装置２１、および鍵盤蓋１の開閉を制御するための開閉制御装置５１などを備えている。なお、図８に示した従来の装置と同じ構成を有する要素については、同じ符号を用いるものとする。
【００１７】
鍵盤蓋１は、合板などで構成され、左右方向に長い長方形の平面形状とＬ字状の断面形状を有している。鍵盤蓋１は、その後端部が奥屋根３の前端部に蝶番２を介して回動自在に取り付けられており、蝶番２を中心として、図１に示す閉鎖位置と、図示しない開放位置との間で開閉される。
【００１８】
奥屋根３は、合板などで構成され、鍵盤蓋１と同じ左右方向の長さを有し、鍵盤蓋１とともに、左右の腕木４（１つのみ図示）の間に配置されている。また、奥屋根３は、ブロック状の本体部３ａと、本体部３ａから前方に湾曲して延びる鍵盤蓋取付部３ｂとによって構成された曲板タイプのものである。
【００１９】
奥屋根３の本体部３ａの左右の端面には、下方に開口する凹部３ｃが形成されている。一方、左右の腕木４の内側面には、上側が細いくさび状の奥屋根止木５がねじ止めされており、これらの奥屋根止木５に奥屋根３の凹部３ｃを上方から嵌合させることによって、奥屋根３が腕木４に位置決めされた状態で取り付けられている。
【００２０】
また、左右の腕木４には親板６がそれぞれ立設されるとともに、奥屋根３の本体部３ａには上前板７が着脱自在に取り付けられ、立設されていて、親板６、６間においてピアノＰの前面を覆っている。なお、図１中の符号８は、鍵盤蓋１の裏面に取り付けられた折りたたみ式の譜面立て、９は棚板、１０は拍子木、１１は棚板７の前面に取り付けられた口棒である。鍵盤蓋１は、その閉鎖位置において口棒１１に当接している。
【００２１】
奥屋根固定装置２１は、奥屋根止木５に嵌合する奥屋根３を、浮き上がらないように左右の腕木４、４に固定するためのものである。図２および図３に示すように、奥屋根固定装置２１は、奥屋根３の左右の端部と腕木４にまたがるように設けられた固定金具２２と、固定金具２２をねじ止めする複数のねじ２３で構成されている。なお、図面には、低音部側用の固定金具２２のみが描かれているが、これと同じ構成で、かつ左右対称の固定金具（図示せず）が、高音部側にも設けられている。
【００２２】
この固定金具２２は、鋼などの金属板を折曲げ加工したものであり、図４に示すように、前後方向に長い長方形状の水平な腕木取付部２４と、その内端から下方に鉛直に延びる第１連結部２５と、その下端から内方に水平に若干延びる第２連結部２６と、この第２連結部２６の前端部に連続し、内方に延びる水平な奥屋根取付部２７で構成されている。腕木取付部２４には前後２つのねじ止め用の孔２８、２８が、奥屋根取付部２７には左右２つのねじ止め用の孔２９、２９が、それぞれ形成されている。これらの孔２８、２９はいずれも、座ぐり付きの丸孔で構成されている。
【００２３】
以上の構成の固定金具２２は、図２および図５などに示すようにして、奥屋根３と左右の腕木４の間に取り付けられている。すなわち、固定金具２２の腕木取付部２４と第１連結部２５が、腕木４の水平な上面と内側面にそれぞれ接した状態で、腕木取付部２４が、孔２８、２８に通されたねじ２３、２３によって、腕木４の上面の内側部にねじ止めされるとともに、奥屋根取付部２７は、孔２９、２９に通されたねじ２３、２３によって、奥屋根３の本体部３ａの水平な上面の後部にねじ止めされている。これにより、奥屋根３は左右の腕木４に強固に固定されている。
【００２４】
開閉制御装置５１は、鍵盤蓋１をゆっくり閉じるように制御するためのものであり、図１に示すように、鍵盤蓋１の閉鎖位置側への回動を制動するための緩衝器５２と、緩衝器５２の制動力を鍵盤蓋１に伝達するためのリンク機構５３などで構成されている。
【００２５】
緩衝器５２は、オイル（図示せず）を充填した円筒形のケーシング５４と、ケーシング５４に回動自在に嵌合する軸部５５とを有するワンウェイトルク式の油圧ダンパで構成されている。具体的には、緩衝器５２は、軸部５５が図１の反時計方向に回動するときに、内部に充填されたオイルが狭い流体通路（図示せず）を通過するように構成されていて、それにより、軸部５５の同方向への回動時にのみ制動を加え、逆方向への回動に対しては制動力が作用しないようになっている。また、緩衝器５２の制動力は、軸部５５の反時計方向への回動角が大きくなるに従って、次第に大きくなるように設計されている。軸部５５には、その中心から径方向に延びるように、アーム５７が一体に設けられている。以上の構成の緩衝器５２は、ケーシング５４の部分において、奥屋根３の下面の一方の側部に取付部材５６を介して、ねじ止めされている。
【００２６】
リンク機構５３は、互いに回動自在に連結された２本のリンクバー５３ａ、５３ｂで構成されており、一方のリンクバー５３ａは、鍵盤蓋１の裏面の後端部にねじ止めされ、他方のリンクバー５３ｂは、軸部５５のアーム５７に回動自在に連結されている。
【００２７】
次に、上記構成の奥屋根固定装置２１および開閉制御装置５１の動作を説明する。図１は、鍵盤蓋１が閉鎖位置にある状態を示しており、鍵盤蓋１は、その前端が口棒１１に当接し、鍵盤（図示せず）および拍子木１０などを覆っている。また、鍵盤蓋１にリンク機構５３を介して連結された緩衝器５２の軸部５５は、反時計方向に最大限、回動している。
【００２８】
この閉鎖位置から、鍵盤蓋１を引き起こすようにすると、鍵盤蓋１が反時計方向すなわち後方に回動するとともに、緩衝器５２の軸部５５は、リンク機構５３によって引っ張られ、時計方向に回動する。図示しないが、この回動は、鍵盤蓋１の前部の角部が上前板７に当接することによって終了し、鍵盤蓋１は開放位置に達する。前述したように、この開放位置側への回動中は、緩衝器５２の制動力がほとんど作用しないので、鍵盤蓋１を容易に開放できる。
【００２９】
この開放位置から、鍵盤蓋１を手前側に倒すようにすると、鍵盤蓋１は時計方向に回動する。この鍵盤蓋１の閉鎖時、緩衝器５２の制動力がリンク機構５３を介して鍵盤蓋１に作用することによって、鍵盤蓋１の回動が減速され、緩衝される。また、緩衝器５２の制動力は、鍵盤蓋１が閉鎖位置に近づくにつれて次第に増大するので、回動速度が大きくなりやすい鍵盤蓋１の閉じ終わりに制動力が最大になることによって、鍵盤蓋１を確実にゆっくり閉じることができる。
【００３０】
また、鍵盤蓋１を急激に閉鎖した場合には、鍵盤蓋１の急激な動きに比べて、流体通路を通過するオイルの通過速度が遅いため、緩衝器５２からの反力が奥屋根３に、これを持ち上げる力として作用する。この場合、奥屋根３が、奥屋根固定装置２１によって腕木４に固定されているので、奥屋根３に作用する緩衝器５２の反力に抗して、奥屋根３および鍵盤蓋１の浮上がりを確実に防止することができる。その結果、鍵盤蓋１が浮上がりによって腕木４と接触することや、それに起因する鍵盤蓋１および腕木４の損傷、雑音の発生などの不具合を確実に防止できる。
【００３１】
また、奥屋根３が奥屋根固定装置２１で固定されているので、奥屋根３および鍵盤蓋１は、ピアノＰの輸送時などに腕木４に対してずれることがなく、例えば、図３に示すように、奥屋根３と腕木４の間の隙間Ｃ１、および鍵盤蓋１と腕木４の間の隙間Ｃ２を、それぞれの所定の設計値に保持することができる。さらに、奥屋根３の固定を固定金具２２およびねじ２３だけで行えるので、多数の部品から成る従来の奥屋根固定装置と比較して、非常に安価に構成することができる。また、これらの固定金具２２やねじ２３は、親板６や上前板７で覆われたピアノＰの内部に設けられ、外部からはまったく見えないので、ピアノＰの外観にもまったく影響を及ぼさない。
【００３２】
図６は、本発明の第２実施形態による奥屋根固定装置３１を示している。本実施形態では、第１実施形態で用いられた、奥屋根３の位置決め用の奥屋根止木５は省略されており、奥屋根固定装置３１のみによって、奥屋根３の位置決めと固定が行われる。なお、以下では、第１実施形態と同じ構成を有する要素については、同じ符号を付し、詳細な説明は省略するものとする。
【００３３】
この奥屋根固定装置３１の固定金具３２は、第１実施形態とほぼ同じ構成を有しており、腕木取付部２４に、第１実施形態の丸孔から成る孔２８、２８に代えて、前後２つの長孔３８、３８を形成した点のみが異なるものである。各長孔３８は、前後方向に延び、所定の長さを有しており、固定金具３２は、これらの長孔３８に通された、第１実施形態と同様のねじ２３（図６では省略）によって、腕木４にねじ止めされている。したがって、腕木４に対する奥屋根３の前後方向の位置を、長孔３８の長さの範囲内で調整することができる。
【００３４】
また、図６中の符号３３、３４は、奥屋根３の高さを調整するためのスペーサである。このうち、スペーサ３３は、固定金具３２の腕木取付部２４の下側に設けられるものであり、金属や、合成樹脂、木材などから板状に形成されており、腕木取付部２４とほぼ同じサイズと所定の厚さを有するとともに、長孔３８に対応する前後２つの長孔３３ａを有している。したがって、奥屋根３の高さをより上側に調整する場合には、スペーサ３３を腕木取付部２４と腕木４の間に介在させることによって、その調整を容易に行うことができる。
【００３５】
一方、スペーサ３４は、固定金具３２の奥屋根取付部２７の下側に設けられるものであり、スペーサ３３と同様、金属や、合成樹脂、木材などから板状に形成され、奥屋根取付部２７とほぼ同じサイズと所定の厚さを有するとともに、孔２９に対応する左右２つの孔３４ａを有している。したがって、奥屋根３の高さをより下側に調整しする場合には、スペーサ３４を奥屋根取付部２７と奥屋根３の間に介在させることによって、その調整を容易に行うことができる。
【００３６】
以上のように、本実施形態によれば、固定金具３２およびねじ２３によって、奥屋根３を腕木４に固定するので、前述した第１実施形態の効果を同様に得ることができる。また、固定金具３２の長孔３８によって、奥屋根３の前後方向の位置を調整できるとともに、スペーサ３３、３４を選択的に用いることによって、奥屋根３の高さを調整できる。したがって、本実施形態のように、奥屋根止木５を省略した場合でも、奥屋根３および鍵盤蓋１を、腕木４に対する前後方向および上下方向の所望の位置に容易に設置できるとともに、その設置位置に保持することができる。
【００３７】
図７は、本発明の第３実施形態による奥屋根固定装置４１を示している。本実施形態は、第２実施形態のスペーサ３３、３４を廃止し、これに代えて、奥屋根３の高さ調整用のねじ４３を用いた点のみが異なるものである。
【００３８】
この奥屋根固定装置４１の固定金具４２の腕木取付部２４には、長孔３８、３８の外側に、ねじ孔４４、４４が形成されている。これらのねじ孔４４に、ねじ４３が上方から進退自在にねじ込まれており、その先端部が腕木取付部２４の下方に突出し、腕木４の上面に当接している。したがって、ねじ４３を回し、腕木取付部２４からの突出長さを調整することによって、奥屋根３の高さを上側および下側のいずれの側にも調整でき、第３実施形態と同様の効果を得ることができる。
【００３９】
なお、本発明は、説明した実施形態に限定されることなく、種々の態様で実施することができる。例えば、実施形態では、鍵盤蓋の開閉制御装置を設けたときに鍵盤蓋の浮き上がりが生じやすいという観点から、本発明の奥屋根固定装置を開閉制御装置と併用した場合について特に説明したが、本発明は、そのような場合に限らず、鍵盤蓋の浮き上がりが生じるような他の状況において、有効に適用することができる。
【００４０】
また、実施形態は、奥屋根３が湾曲した鍵盤蓋取付部３ｂを有する曲板タイプのものであるが、本発明は、図８に示したような平板タイプの奥屋根に適用してもよい。なお、曲板タイプの奥屋根は、平板タイプのものと比較して、その形状の複雑さから、製造誤差や組立誤差が生じやすく、奥屋根の位置がずれやすいので、本発明を特に有効に適用することができる。さらに、本発明は、実施形態で説明したアップライトピアノに限らず、アップライト型電子ピアノにも、もちろん適用できる。
【００４１】
また、実施形態では、奥屋根３の上下方向の位置および前後方向の位置の両方を調整しているが、いずれか一方のみを調整することも、本発明の範囲内である。さらに、その調整手段として、実施形態に示した以外の適当な手段を採用することもまた、本発明の範囲内である。その他、本発明の趣旨の範囲内で、細部の構成を適宜、変更することが可能である。
【図面の簡単な説明】
【００４２】
【図１】本発明の第１実施形態による奥屋根固定装置を適用したアップライトピアノの部分側面図である。
【図２】奥屋根固定装置により奥屋根を腕木に固定した状態を示す部分斜視図である。
【図３】図２に対応する部分平面図である。
【図４】固定金具の斜視図である。
【図５】図２をさらに拡大して示す拡大部分斜視図である。
【図６】本発明の第２実施形態による奥屋根固定装置を示す斜視図である。
【図７】本発明の第３実施形態による奥屋根固定装置を示す斜視図である。
【図８】従来の奥屋根固定装置を用いたアップライトピアノの部分側面図である。
【符号の説明】
【００４３】
Ｐ  アップライトピアノ
１  鍵盤蓋
３  奥屋根
４  腕木
２１  奥屋根固定装置
２２  固定金具
２３  ねじ
３１  奥屋根固定装置
３２  固定金具
３３  スペーサ（調整手段）
３４  スペーサ（調整手段）
４１  奥屋根固定装置
４２  固定金具
４３  ねじ（調整手段）
５１  開閉制御装置
５２  緩衝器
５３  リンク機構
【図１】
2008241840.tif 000003
【図２】
2008241840.tif 000004
【図３】
2008241840.tif 000005
【図４】
2008241840.tif 000006
【図５】
2008241840.tif 000007
【図６】
2008241840.tif 000008
【図７】
2008241840.tif 000009
【図８】
2008241840.tif 000010